(57)【要約】【課題】新たな制御情報あるいは保護方法を用いることなく、印刷許可の制御を行うことができる装置および方法を提供すること。【解決手段】デジタル情報の印刷を制御する際、デジタル情報に付加されているコピー制御情報を検出し、検出されたコピー制御情報によってデジタル情報に印刷を行うか否かの制御を行うようにする。【選択図】  図１
2004179929.tif 000002
【特許請求の範囲】
【請求項１】
デジタル情報を受信して印刷装置に出力する受信装置において、
前記デジタル情報を受信する受信回路と、
前記デジタル情報から静止画情報を抽出する抽出回路と、
前記抽出された静止画情報を記録する記録再生回路と、
前記記録再生回路より再生された静止画情報に前記印刷装置の印刷を制御可能な情報としてコピー制御情報を付加して出力する出力回路と、
を備えたことを特徴とする受信装置。
【請求項２】
前記静止画情報を印刷用データに変換する変換回路を備え、
前記出力回路は、前記印刷用データにコピー制御情報を付加して出力することを特徴とする請求項１に記載の受信装置。
【請求項３】
前記出力回路は、前記静止画情報をコピー制御情報に応じて暗号化して出力することを特徴とする請求項１に記載の受信装置。
【請求項４】
前記デジタル情報はデジタル映像情報であることを特徴とする請求項１に記載の受信装置。
【請求項５】
入力されたデジタル情報を印刷する印刷装置において、
前記デジタル情報を入力する入力回路と、
前記入力されたデジタル情報を印刷する印刷回路と、
前記デジタル情報に付加されているコピー制御情報を検出し、検出されたコピー制御情報によって前記印刷回路における印刷の制御を行う制御回路と、
を備えたことを特徴とする印刷装置。
【請求項６】
前記制御回路は、前記コピー制御情報がコピーを許す場合には印刷を行い、コピーを許さない場合には印刷を行わないように制御することを特徴とする請求項５に記載の印刷装置。
【請求項７】
前記入力するデジタル情報は暗号化されており、前記入力回路は、暗号化されて入力された情報の復号を行うことを特徴とする請求項５に記載の印刷装置。
【請求項８】
デジタル情報の印刷を制御する印刷制御方法において、
前記デジタル情報に付加されているコピー制御情報を検出し、
検出された前記コピー制御情報によって前記デジタル情報の印刷を行うか否かの制御行うことを特徴とする印刷制御方法。
【請求項９】
前記コピー制御情報がコピーを許す場合には印刷を行い、コピーを許さない場合には印刷を行わないことを特徴とする請求項８に記載の印刷制御方法。
【発明の詳細な説明】
【０００１】
【発明の属する技術分野】
本発明は、デジタル映像情報を印刷制御する受信装置および印刷装置に係り、特に著作権などの管理を適切に行うことのできる装置および方法に関する。
【０００２】
【従来の技術】
デジタル放送などによって伝送された静止画データあるいはテレビサービスから抽出した静止画像などのデジタル映像情報を印刷して保存あるいは確認できるようにすればユーザの使い勝手を向上させることができる。しかし、映像の著作権者が印刷を認めない、あるいは、印刷できる回数などを制限したいものもあり、印刷を制御できるようにする必要がある。
【０００３】
デジタル放送などによって伝送されたデジタル映像情報の印刷を制御する方法としては、印刷許可フラグを新たに設けることが考えられている。（例えば、特許文献１参照）
記録装置等でのコピー制御のためにはＣＧＭＳ等のコピー制御情報が使われてきたが、上記従来の技術では、コピー制御情報では考慮されていない印刷の制御を行うために、新たに印刷許可フラグを設けて印刷の制御を行っている。
【０００４】
【特許文献１】
特開２００１−８６４５２号公報（第４−５頁、図１）
【０００５】
【発明が解決しようとする課題】
上記従来の技術に開示される事項は、確実に印刷の制御を行うことができるが、新たな情報の伝送が必要である。また、著作権などの保護のためには、印刷するためのデジタル映像情報を印刷装置に伝送する時にも、不正な抜き取りを防止するために情報の保護を行うことが必要となる。しかしながら、上記従来の技術では伝送時の情報の保護については何ら考慮されていない。
【０００６】
本発明の目的は、上記した問題に鑑み、新たな制御情報あるいは保護方法を用いることなく印刷許可の制御を容易に行うことができ、かつ、情報の保護が可能な装置および方法を提供することにある。
【０００７】
【課題を解決するための手段】
上記目的を達成するため、デジタル情報を受信して印刷装置に出力する受信装置において、デジタル情報を受信する受信回路と、デジタル情報から静止画情報を抽出する抽出回路と、抽出された静止画情報を記録する記録再生回路と、記録再生回路より再生された静止画情報に印刷装置の印刷を制御可能な情報としてコピー制御情報を付加して出力する出力回路とを備えた。また、入力されたデジタル情報を印刷する印刷装置において、デジタル情報を入力する入力回路と、入力されたデジタル情報を印刷する印刷回路と、デジタル情報に付加されているコピー制御情報を検出し、検出されたコピー制御情報によって印刷回路における印刷の制御を行う制御回路とを備えた。さらには、デジタル情報の印刷を制御する印刷制御方法において、デジタル情報に付加されているコピー制御情報を検出し、検出されたコピー制御情報によってデジタル情報に印刷を行うか否かの制御行うようにした。
【０００８】
【発明の実施の形態】
以下、本発明の実施形態を、図面を用いて詳細に説明する。まず本発明を適用するシステム全体から述べる。
【０００９】
図１は、本発明の受信装置および印刷装置が用いられるシステム全体の第１の実施形態を示すブロック図である。放送局などの情報提供局１から中継局２を介して放送された情報を受信装置３で受信し、第１の記録再生装置４、第２の記録再生装置６で記録再生し、印刷装置７で印刷を行い、また、ディスプレイ５で視聴するものである。
【００１０】
放送局など情報提供局１は、例えば放送用衛星などの中継局２を介して、情報によって変調された信号電波として伝送する。この他に、ケーブルによる伝送、電話線による伝送、地上波放送による伝送などを用いても良い。受信側の受信装置３は、信号を受信し復調した後、必要に応じ第１の記録再生装置４、第２の記録再生装置６へ記録する。また、ディスプレイ５により、受信した情報内容を直接に、または上記した第１あるいは第２の記録再生装置４，６で再生された情報を視聴する。受信した情報あるいは記録再生装置に記録されている情報を印刷したい場合には、印刷装置７で印刷する。
【００１１】
第１の記録再生装置４は、受信装置３に内蔵されるデジタル記録方式によるものとする。その記録媒体には、例えばハードディスクが利用できる。また、メモリ記録媒体のようなものでもよい。第２の記録再生装置６は、ここでは受信装置３に外付けされる。記録媒体は、ハードディスクの他、磁気テープ、光ディスクのように取り外しのできる媒体でも良い。
【００１２】
放送された情報には、記録再生装置での記録を制御するためのコピー制御情報が付加されている。放送された情報に付加されたコピー制御情報が「コピー可」（Ｃｏｐｙ  Ｆｒｅｅ）であれば、第１の記録再生装置４あるいは第２の記録再生装置６において制限なく記録することができるが、コピー制御情報が、「コピー禁止」（Ｃｏｐｙ  Ｎｅｖｅｒ）または「一世代コピー可」（Ｃｏｐｙ  Ｏｎｅ  Ｇｅｎｅｒａｔｉｏｎ）であれば、後述するように記録が制限される。さらに、印刷装置７における印刷においても、コピー制御情報が「コピー可」であれば、著作権などの保護は主張されていないと判断して制限なく印刷できるが、コピー制御情報が、「コピー禁止」または「一世代コピー可」であれば、記録と同様に印刷も制限する。
【００１３】
図１の例では、２台の記録再生装置と１台の印刷装置を有するが、これに限定されない。すなわち装置の台数、または内蔵されるか外付けであるかに関わらず、本発明は適用可能である。また本発明は、受信した情報を記録再生あるいは印刷するシステムにのみ適用されるものではない。予め情報を記録したパッケージソフトを再生する場合はもちろん、単に現在放送中の情報を受信してディスプレイ５に出力する場合、またＰＣ（Ｐｅｒｓｏｎａｌ  Ｃｏｍｐｕｔｅｒ）などにおいて記録あるいは印刷する場合にも適用できる。
【００１４】
図２は、図１における情報提供局１の構成例を示すブロック図である。カメラ、記録再生装置などから成るソース発生部１１で発生した映像・音声などの情報は、より少ない占有帯域で伝送できるよう、エンコード回路１２でＭＰＥＧ方式等によりデータ量の圧縮が施される。コピーの制限等の保護が必要な場合は、スクランブル回路１３で伝送暗号化される。変調回路１４で伝送するのに適した信号に変調された後、送信アンテナ１５から、例えば放送用衛星などの中継局２に向けて電波として発射される。この際、管理情報付与回路１６では、前記したコピー制御情報などを付加する。また入力端子１７には、例えばビデオオンデマンドにおける受信側からのリクエスト情報が電話回線などを介して入力され、これに応えて送出する情報を決定する。
【００１５】
なお、送信する電波信号には、複数の情報が、時分割、スペクトル拡散などの方法で多重されることが多い。この場合には、ソース発生部１１とエンコード回路１２の系統が複数個あり、エンコード回路１２とスクランブル回路１３との間に、複数の情報を多重するマルチプレクス回路が置かれる。
【００１６】
図３は、図１のシステムにおける受信装置３の構成例を示すブロック図である。図中の実線は受信した映像音声など主となる情報の流れを、また破線は各構成要素間の制御信号情報の流れを示す。
【００１７】
まず、本実施例の構成を、実線で示した映像音声などの主情報の流れに沿って説明する。ＲＦ／ＩＦ変換回路３０１には、例えば放送用衛星などの中継局からの電波が入力される。ここで、ＲＦ帯域の電波はＩＦ帯域（Ｉｎｔｅｒｍｅｄｉａｔｅ  Ｆｒｅｑｕｅｎｃｙ）に周波数変換され、また受信チャンネルに依存しない一定の帯域の信号となり、復調回路３０２で伝送のために施された変調操作が復調される。さらに誤り訂正回路３０３で、伝送途中で発生した符号の誤りが検出さらには訂正された後、デスクランブル回路３０４で伝送暗号の解除を行う。その後、第１および第２のデマルチプレクス回路３０５，３０７へ送られる。デマルチプレクス回路３０５，３０７は、１つのチャンネルに多重された複数の情報から所望の情報だけを分離する。２つのデマルチプレクス回路を設ける理由は、いわゆる裏番組記録を可能にするのみならず、第１のデマルチプレクス回路３０５で、記録しない情報を除去、及び記録のための情報を付加するためである。例えば、天気予報、番組の放送予定など、記録する必要のないものはここで除去する。
【００１８】
第１のデマルチプレクス回路３０５の出力は、第１の記録再生装置４へ与えられるとともに、入出力回路３１５Ａへも与えられる。入出力回路３１５Ａには、入出力端子３０６Ａを介して、第２の記録再生装置６が接続される。また、第１の記録再生装置４から再生された出力は、入出力回路３１５Ｂへ与えられる。入出力回路３１５Ｂには、入出力端子３０６Ｂを介して、印刷装置７が接続される。
【００１９】
入出力回路３１５Ａ，３１５Ｂは、例えば双方向の入出力インターフェースであって、第２の記録再生装置６，印刷装置７との間で、記録再生あるいは印刷する情報や装置を制御のためのコマンドなどをデジタルデータで授受する。一般にはＩＥＥＥ１３９４規格による接続が多く用いられる。またＰＣで多用されるＵＳＢ（Ｕｎｉｖｅｒｓａｌ  Ｓｅｒｉａｌ  Ｂｕｓ）接続であっても良いし、無線ＬＡＮ（Ｌｏｃａｌ  ＡｒｅａＮｅｔｗｏｒｋ）などを用いて無線で接続しても良い。また、ＩＥＥＥ１３９４規格のように複数種類の情報を伝送できる場合には、入出力回路３１５Ａ，３１５Ｂを同一の入出力回路及び入出力端子で兼用してもよい。さらに、入出力回路を多数個設けても良く、あるいは仕様の異なる複数の入出力インターフェースを使用しても良い。
【００２０】
第１及び第２の記録再生装置４，６においては、コピー制御情報に従って記録動作を行う。コピー制御情報が、「コピー禁止」を示すならば、記録を行わない。「一世代コピー可」であるならば、これを「再コピー禁止」（Ｎｏ  Ｍｏｒｅ  Ｃｏｐｉｅｓ）と書換えたうえで記録を行う。「再コピー禁止」を示すならば、記録を行わない。「コピー可」であるならば、そのまま記録を行う。この他に、記録媒体がハードディスクなどの取り外しできないものの場合など、記録した装置でのみしか再生できないようになっている場合には、コピー禁止でありながら再生利用する期間に制限を付けて、例えば９０分までしか再生利用できないようにして、「一時記録」すること、「再コピー禁止」でありながら元の記録されている情報を再生不能にすることを条件に情報を「移動」すること、および、一世代コピー可の情報を記録した時に制限期間内、例えば９０分以内であれば一世代コピー可のままで再生出力することを認める。
【００２１】
第２の記録再生装置６のような外部の記録再生機器において上記のようなコピーの制御を行うために、入出力回路は、記録する情報に上記のようなコピー制御情報を付加して出力する。さらに、不正な抜き取りなどを防止するために、必要に応じて情報を暗号化して出力する。
【００２２】
第２のデマルチプレクス回路３０７には、デスクランブル回路３０４から送られた情報、第１の記録再生装置４で再生された情報、あるいは入出力回路３１５Ａを経由して第２の記録再生装置６Ａで再生された情報が入力されており、これらから所望の情報が選択・分離される。次のデコード回路３０８では、伝送前に施されたＭＰＥＧ方式等によるデータ圧縮に対する伸張処理がなされ、出力端子３０９，３１０を介して外部の装置へ送られる。出力端子３０９，３１０はデジタル出力、アナログ出力いずれの場合もあり、また前者をデジタル出力、後者をアナログ出力と使い分けることもできる。出力端子は１個としても良い。
【００２３】
次に、図３における構成を破線で示した制御信号に沿って述べる。制御回路３１１は、上記したＲＦ／ＩＦ変換回路３０１から第１、第２のデマルチプレクス回路３０５，３０７、デコード回路３０８、さらに入出力回路３１５Ａ，３１５Ｂに至る各構成要素との間で制御信号の授受を行い、受信装置３の全体が所望の動作を行うように制御する。情報管理回路３１２は、制御回路３１１に対し制御を行うための管理データを要求に応じて供給する。例えば、ここには受信契約の情報が管理されている。ユーザが視聴したいチャンネルを指定した時、この指定は入力端子３１４から入力され、コマンド入力回路３１３を介して制御回路３１１に送られる。制御回路３１１は情報管理回路３１２に、受信契約情報を要求する。ユーザが指定したチャンネルと契約があると判断した場合、上記した各構成要素に制御信号を送り、該当チャンネルの受信動作を指示するなどの制御動作を行う。また、制御回路３１１において、コピー制御情報の検出、検出したコピー制御情報に応じたコピーの制御や出力する情報に付加するコピー制御情報の生成を行う。
【００２４】
次に、印刷の制御について述べる。印刷する情報としては、データサービスなどで印刷の目的のために伝送された静止画情報と、テレビサービスのような視聴のために伝送された映像情報から印刷のために抽出した静止画情報が有る。前者の場合には、第１のデマルチプレクス回路３０５で分離された静止画情報が第１の記録再生装置４に記録される。また、後者の場合は、伝送あるいは再生されている映像情報からユーザが印刷のために選択した箇所を静止画像として抽出し、第１の記録再生装置４に記録される。記録された静止画情報は、一旦制御回路３１１に読み込まれて印刷用データに変換された後に、第２の入出力回路３１５Ｂより印刷装置７に出力されて印刷される。なお、印刷用データへの変換を行わないで出力し、印刷装置７において印刷用データに変換するようにしてもよい。また、印刷の目的のために静止画情報を伝送する場合には、印刷用データそのものを伝送するようにしてもよい。この場合には、印刷用データへの変換は不要になる。
【００２５】
なお、映像情報からの静止画情報の抽出は、記録再生装置４に常に一定時間の映像情報を記録しておき、ユーザが印刷を選択した時点から一定時間前までの記録再生装置４に記録されている映像情報から抽出する箇所をユーザが選べるようにしておけば、より使い勝手を良くすることができる。
【００２６】
印刷の制御も、表１のようにコピー制御情報によって行う。
【００２７】
【表１】
2004179929.tif 000003
【００２８】
ＣＣＩは、２ビットの情報で、「００」の時は「コピー可」を表し、「１０」の時は、「一世代コピー可」を表し、「０１」の時は、「再コピー禁止」、すなわち一世代のみコピーできる情報がコピーされたものであることを表し、「１１」の時は「コピー禁止」を表す。なお、「再コピー禁止」は、放送などの送信時には用いられない。ＣＣＩが「００」以外の時は、出力時に暗号化して伝送することにより、不正なコピーがなされた時に情報を保護する。ＥＰＮは、１ビットの情報で、この情報が「０」の時は、コピーの制限はないが、暗号化して伝送することを表す。これにより、正規の記録機器でのコピー以外の不正使用から情報を保護する。このうち、コピーが許されている「コピー可」あるいは「一世代コピー可」の時には印刷可とし、コピーが禁止されている「再コピー禁止」あるいは「コピー禁止」の時には印刷不可とすることにより、コピーと同様に印刷も制御することができる。
【００２９】
「コピー可」のコピー制御情報が付加されて伝送された時は、記録再生装置４に記録された静止画情報は「コピー可」の状態で出力されるので、制限なく印刷できる。一方、「一世代コピー可」のコピー制御情報が付加されて伝送された時は、記録再生装置４に記録された静止画情報は制限期間内であれば「一世代コピー可」の状態で出力されるので印刷可能であるが、制限期間以降は「再コピー禁止」の状態で出力されるので、印刷できなくなる。すなわち、印刷できる期間が制限される。さらに、制限期間以降であっても、「移動」によって出力すれば「一世代コピー可」の状態で出力されるので印刷可能であるが、元の情報は再生不能になるので、印刷回数が一回に制限される。このように、コピー制御情報によって、コピー制御と同様に、制限のない印刷、制限された印刷、印刷不可の制御を行うことができる。
【００３０】
表２は、コピー制御情報の他の実施例である。
【００３１】
【表２】
2004179929.tif 000004
【００３２】
ＩＣＴは、アナログ映像出力解像度を制限するための情報であり、この情報が「０」の時は解像度を制限する。印刷においても、この情報によって印刷解像度を制限すれば、解像度の制限、すなわち、高解像度での印刷の制限も行うことができる。
【００３３】
図４は、印刷装置７の構成例を示すブロック図である。入出力端子７１から入力された印刷用データは、入出力回路７２を介してバッファ７３に書き込まれ、バッファ７３から読み出されたデータを印刷回路７４に送られて印刷される。入出回路７２では、伝送された情報からコピー制御情報を抽出して制御回路７５に送る。そして、制御回路では、コピー制御情報に応じて印刷を行うか行わないかの制御を行う。また、解像度の制限がある場合は印刷解像度を制限する。なお、暗号化されて伝送された場合には、入出力回路７２において暗号の復号を行う。
【００３４】
この実施例によれば、印刷を許可する場合であっても、その解像度を制限することにより、実質的に著作権を保護することができる。
【００３５】
【発明の効果】
以上述べたように、本発明によれば、専用の制御情報あるいは方式を用いることなく、印刷許可の制御および不正な抜き取り防止を容易に実現することができる。
【図面の簡単な説明】
【図１】本発明の受信装置および印刷装置を適用するシステム全体のブロック図。
【図２】図１における情報提供局１の構成例を示すブロック図。
【図３】図１における受信装置３の構成例を示すブロック図。
【図４】図１における印刷装置７の構成例を示すブロック図。
【符号の説明】
１・・・・・情報提供局
２・・・・・中継局
３・・・・・受信装置（情報出力装置）
４・・・・・第１の記録再生装置
５・・・・・ディスプレイ
６・・・・・第２の記録再生装置
７・・・・・印刷装置
７２・・・・入出力回路
７３・・・・バッファ
７４・・・・印刷回路
７５・・・・制御回路
３０１・・・ＲＦ／ＩＦ変換回路
３０２・・・復調回路
３０３・・・誤り訂正回路
３０４・・・デスクランブル回路
３０５・・・第１のデマルチプレクス回路
３０７・・・第２のデマルチプレクス回路
３０８・・・デコード回路
３１１・・・制御回路
３１２・・・情報管理回路
３１５Ａ・・・第１の入出力回路
３１５Ｂ・・・第２の入出力回路
【図１】
2004179929.tif 000005
【図２】
2004179929.tif 000006
【図３】
2004179929.tif 000007
【図４】
2004179929.tif 000008